(57)【要約】      （修正有）【課題】ケイ素鋼板の連続的な巻き込みによって作られた、閉鎖環状部材である鉄芯に関して改善された高性能電力供給変圧器を提供。【解決手段】鉄芯上の熱収縮性套による絶縁処理の後、指向性を維持するために焼結および固定により完成し、一次コイルはワイヤーを環状に巻くことにより形成され、次に、熱収縮性套による二次絶縁処理によって包まれる。二次コイルはワイヤーを環状に巻くことにより形成され、熱収縮性套による三次絶縁処理によって包まれる。一次、および二次コイルの対の端末入力用電線は、外へ伸びる。閉鎖環状部材の形状の鉄芯で、その磁気回路は閉鎖磁気回路である。その磁化エネルギーおよび鉄芯消費は、一般的な積み重ねタイプのものより２５%少なく、電力供給の効率を大幅に増加させる。【選択図】図１
0003127741.tif 000002
【実用新案登録請求の範囲】
【請求項１】
下記を含む高性能変圧器:  
連続的な巻き込みによってケイ素鋼板から作られる閉鎖環状部材であって、次に、その指向性を維持するために、焼結され、固定されることで、完成している、鉄芯;
当該鉄芯上に熱収縮性套での一次絶縁処理の後に形成される一次絶縁被膜;
前記一次絶縁被膜上に環状形にワイヤーを巻き込むることにより形成され、その後熱収縮性套での二次絶縁処理によって形成された二次絶縁被膜によって包まれることで形成される一次コイル;そして
前記二次絶縁被膜上で環状形にワイヤーを巻き込むることにより形成され、その後熱収縮性套での三次絶縁処理によって形成された三次絶縁被膜によって包まれることにより形成されている二次コイル;
外へ伸びた前記二次コイルの1対の末端出力用電線と同様に前記一次コイルの1対の末端入力用電線をもつ、前記三次絶縁被膜;
前記一次コイル入力電力供給の前記入力用電線および前記二次コイルの出力電圧-変更電力供給の前記出力用電線、それによって、形成される環状の変圧器。
【請求項２】
前記鉄芯の成形加工において、ケイ素鋼捲が平行に裁切され、前記裁切ケイ素鋼板は、閉鎖環状部材を形成するために自動巻線機を使用することにより、連続的に巻かれる;
前記閉鎖環状部材は、窒素ガスの中で焼結させられ、トンネルの中で緩冷され、ペンキを浸す真空に浸され、その形を固定するために焼かれる、これが指向性を維持する；
ことを特徴とする請求項１に記載の高性能変圧器。
【請求項３】
前記鉄芯の磁気伝導性は1.5〜1.8Tに達することを特徴とする請求項１に記載の高性能変圧器。
【請求項４】
前記変圧器は、電力供給変圧器であり、前記環状の変圧器はハウジングに設置されており；
前記入力用電線は電力を得るために前記ハウジングの外側のプラグに接続され、一方前記出力用電線が電子製品の送電線に電子的に接続されている；
ことを特徴とする請求項１に記載の高性能変圧器。
【請求項５】
前記ハウジングはコンピューターで使用されるマウスであることを特徴とする請求項４に記載の高性能変圧器。  
【請求項６】
交流から直流へ出力電圧を変更するために、前記二次コイルの出力端上に、整流ろ過回路が提供されることを特徴とする請求項１に記載の高性能変圧器。  
【請求項７】
前記環状の鉄芯および前記銅線のサイズの遂行力によって前記変圧器の出力パワーは変更されることを特徴とする請求項１に記載の高性能変圧器。
【請求項８】
PVC熱収縮性套が使用され、熱収縮法で前記絶縁被膜を形成することを特徴とする請求項１に記載の高性能変圧器。
【請求項９】
前記変圧器の前記鉄芯は、短いケイ素鋼板を巻き込むることにより、形成されることを特徴とする請求項１に記載の高性能変圧器。
【考案の詳細な説明】
【技術分野】
【０００１】
本発明は、高性能電力供給変圧器、および特に鉄芯がケイ素鋼板の連続的な巻線によって作られた、閉鎖環状部材である電力供給変圧器に関する。本発明に生産技術を使用することによって、本発明は、環状の線状部材から作られた50W未満の低い力の小型化変圧器により適用可能になりえる。      
【背景技術】
【０００２】
一般的な線状の電力供給変圧器の現在の設計において、鉄芯は、「E」あるいは「I」の形のシートへ大きなケイ素鋼板をパンチすることにより形成される;
その後、これらのシートは組み立てるために積み重ねられる。一般的な変圧器のそのような鉄芯のためにパンチをする際に、ケイ素鋼板の指向性は破損されるだろう;
また、パンチングの完成では、2枚の近隣の「E」シートあるいは「I」シートごとの間のギャップは、磁化する、より大きなエネルギーおよび鉄芯の消費を引き起こすだろう。また、電力供給の効率は低下するだろう。
【０００３】
そして、さらに多く、一般的な電力供給変圧器の磁気伝導性が1.2〜1.4Tに達する場合があるという事実によって、巻き込むることにより作られる高い仕様の一次及び二次銅線コイルを採用しなければならず、この結果、より大きな重量およびボリュームの全電力供給変圧器となり、したがって、使用の不便を来たす。
既知の環状の変圧器については、それらの生産手続きの問題のために大規模変圧器だけに適用することができる。そのような大規模な変圧器は絶縁のために包み分離するためにマイラー（商品名）のプラスチックテープを使われ、次に、それらのコイルは巻かれる。マイラー（商品名）のプラスチックテープおよびコイル巻線によって慣例通りに包む間に、非常に大きな人材が必要である;これは時間消費で、効率が低く、また、小型化した電力供給変圧器を生産するために使用されることは経済ではない。かくして、改良が必要である。        
【考案の開示】
【考案が解決しようとする課題】
【０００４】
鉄芯の積み重ねタイプによって作られた一般的な変圧器に存在した上記欠陥を考慮して、本発明は電力供給変圧器に高性能を供給する。
【課題を解決するための手段】
【０００５】
それは、連続的な巻線によってケイ素鋼板から作られた、閉鎖環状部材であるその鉄芯部分で主として改善される。そして、鉄芯は、その指向性を維持するために、焼結されそして固定されることにより完成する。鉄芯上の熱収縮性套による一次絶縁処理の後、一次コイルは環状の形にワイヤーを巻き込むことにより形成される;
その後、一次コイルは熱収縮性套による二次絶縁処理によって包まれる。その後、二次コイルは環状の形にワイヤーを巻き込むことにより形成される。また、二次コイルは熱収縮性套による三次絶縁処理によって包まれる;
また、二次コイルの1対のエンド・アウトプット・ワイヤーと同様に一次コイルの1対の端末入力用電線も、それによって環状の変圧器を形成する拡張態様である。
【０００６】
本発明の環状の変圧器はハウジング内に設置される;出力用電線が電子製品の送電線に電子的に接続されている間に、変圧器の入力用電線は電力を得るためにハウジングの外側のプラグに接続される。ハウジングは、コンピューター用のマウスであることを対象にすることができる。
本発明の高性能電力供給変圧器は、その鉄芯が閉鎖環状部材の形であり、その磁気回路は、基本的に、閉鎖磁気回路であり、それにより、磁化するそのエネルギーおよび鉄芯の消費は、一般的な積み重ねタイプの鉄芯のものより25%少なく、これは、大幅に電力供給の効率を増加させる。さらに、鉄芯はエアギャップがない閉鎖環状部材であり、その積み重ね要素は95%まで高く、鉄芯の磁気伝導性は1.5〜1.8Tであり、巻線によって作られた低い仕様の一次及び二次銅線コイルに適合でき、これは、電力供給変圧器全体のボリューム及び重量の大幅な減少をもたらす。
【０００７】
本発明の高性能電力供給変圧器は、周波数が50あるいは60MHzの交流対交流型変圧器になりえる;また交流対直流型変圧器でありえる、その場合は、交流から直流へ出力電圧を変更するために二次コイルの出力端末に整流ろ過する回路を単に加える必要がある。
本発明の高性能電力供給変圧器は、所望により変化可能な、その入力電圧とその出力電圧を持つことができる;
その電力も、デザイニングで環状の鉄芯および銅線のサイズの遂行力によって変更することができる。
【０００８】
本発明の高性能電力供給変圧器中のコイルは、絶縁処理された鉄芯に直接巻きつけられ、糸巻きで固定を必要としない(一般的な電力供給変圧器のコイルは、鉄芯に設置される前に、糸巻きに巻きつけられねばならない)。
本発明の高性能電力供給変圧器は、その鉄芯が、PVC熱収縮性套で包まれ、ツールで固定されて後、加熱されれ、PVC部材は、鉄芯と完全に結合し、鉄芯の表面に絶縁を付与する。
【０００９】
本発明の高性能電力供給変圧器の一次コイルが、環状の巻線機の使用により一様に巻かれることにより形成された後、それはPVC熱収縮性套で包まれ絶縁され、二次コイルは熱収縮性套によって形成され、絶縁膜に巻きつけられる。これはミラー(商品名）のプラスチックテープによる絶縁の一般的なモードとは異なる。
【００１０】
本発明の高性能電力供給変圧器の磁化電流は、定格入力電圧で直線的電力源の負荷なしの場合、ゼロである;
一方、一般的な直線的電力源の定格入力電圧で負荷なしの場合の磁化電流は、ゼロより大きい。また、さらに、本発明で提供される直線的電力源は、24時間125%の入力電圧で完全負荷状態で作動させた後にもなお正常に働くことができる;
一方、一般的な直線的電力源では、24時間125%の入力電圧で完全負荷状態で作動させた後には
、正常に働くことができない。
【００１１】
一方、一般的な直線的電力源では、24時間125%の入力電圧で完全負荷状態で作動させた後には、正常に働くことができない。定格入力電圧および定格出力パワーでの、本発明の高性能電力供給変圧器の効率は70%(一般的な直線的電力源の効率は60%未満である)より大きい。
【００１２】
125%の入力電圧で完全負荷状態で作動させた後の本発明の高性能電力供給変圧器の表面温度は、４０℃以上には上昇しない（一般的な直線的電力源では、75℃以上に温度上昇する）。
【００１３】
本発明の電力供給変圧器は、電気回路ボードに直接に設置する変圧器として使用することができ、また、蛍光灯の整流器として使用することができる。。
本発明の電力供給変圧器の鉄芯が、短いケイ素鋼板を巻くことにより形成されていることから、一般的な方法のように、、切断パンチを必要とせず、生産において廃棄部材も生じない;
また、鋼板は、再生産部材として再使用することができ、かくして、環境保全に効果がある。
本発明は、添付の図面に関してそれの好ましい実施例の詳細な記述を読んだ後に明白になる。
【考案を実施するための最良の形態】
【００１４】
図１及び２の参照により、本発明の高性能電力供給変圧器は、上部カバー21および下部カバー22からなるハウジング20に環状の変圧器10が設置されている。プラグ221は下部カバー22の底に設置される;電力源ライン23は電子装置に接続するためにハウジング20から延長される。
【００１５】
図３A乃至図３Eには、環状の変圧器10の生産のプロセスを示し、図３Aは、本発明の鉄芯11を示し、成形加工で、ケイ素鋼捲は平行に切断され、該切断ケイ素鋼板は、閉鎖環状部材を形成するために自動巻線機を使用することにより、連続的に巻かれる;
閉鎖環状部材は、窒素ガスの中で焼結させられ、トンネルの中で緩冷され、真空浸沈ペイントに浸され、その形を固定するために焼かれ、これにより、実質的に部材の指向性を維持することができる。
【００１６】
図３Bでは、鉄芯11が絶縁処理によって一次処理されることが明らかにされ、PVC熱収縮性套は鉄芯11を包むために、熱収縮方法で一次絶縁被膜12を形成するために使用される。
一次絶縁処理が完成した時、図３Cに示されるような一次コイル13を形成するために、ワイヤーは環状の形に捲き込まれる;
一次コイル13が完成した時、二次絶縁処理が行なわれ、別のPVC熱収縮性套が、図３Dで示されるような完全な環状の変圧器10の一次コイル13を包むために、熱収縮方法で、二次絶縁被膜14を形成するために使用される。
【００１７】
次いで、図３E示されるように、二次ワイヤー巻線が行なわれる。ワイヤー巻線の完成により、二次コイル15が形成される;
ついで、三次絶縁処理が行なわれ、別のPVC熱収縮性套が、一次コイル13の端末の1対の入力用電線131と露出するために残されている二次コイル15の端末の1対の出力用電線151で包むために、熱収縮方法で、三次絶縁被膜16を形成するたのに使用される。さらに図２の環状の変圧器10を参照されたい。
【００１８】
本発明の環状の変圧器10は、ハウジング20に設置される;
変圧器の入力用電線131は、電力を得るためにハウジング20の外側のプラグ221に接続され、一方、出力用電線151が、電子製品の送電線23に電気的に接続されている。ハウジング20は、コンピューター用のマウスを対象にすることができる。
【００１９】
本発明の高性能電力供給変圧器は、閉鎖環状部材の形状である鉄芯11をもち、その磁気回路は、基本的に、閉鎖磁気回路であり、それによって、磁化するそのエネルギーおよび鉄芯の消費は、一般的な積み重ねタイプの鉄芯のものより25%少なく、これは大幅に電力供給の効率を増加させる。さらに、鉄芯11は、エアギャップをもたない閉鎖環状部材であり、その積み重ね要素は95%まで高く、鉄芯11の磁気伝導性は1.5〜1.8Tに達することができ、巻線によって作られた低い仕様の一次および二次銅線13および15が適合し、これは、全電力供給変圧器のボリューム及び重量の大幅な減少をもたらす。
【００２０】
本発明の高性能電力供給変圧器は、周波数が50あるいは60MHzの交流対交流型変圧器になりえる;
また交流対直流型変圧器でありえる、それは、交流から直流へ出力電圧を変更するために二次コイルの出力端末に整流ろ過する回路を単に加える必要がある。
本発明の高性能電力供給変圧器は、所望により変化可能な、その入力電圧とその出力電圧を持つことができる;
その電力も、デザイニングで環状の鉄芯11および銅線のサイズの遂行力によって変更することができる。
【００２１】
図４は、本発明の電気的な特徴の明細を示す図表である。
下記は本発明の他の特徴に関する記述である:
本発明の高性能電力供給変圧器中のコイル13および15は、絶縁処理された鉄芯11に直接巻きつけられる、また糸巻きで固定を必要としない(一般的な電力供給変圧器のコイルは、鉄芯に設置される前に、糸巻きに巻きつけられねばならない)。
その鉄芯11が、PVC熱収縮性套から形成された、一次絶縁被膜12で包まれ、ツールで固定の後、本発明の高性能電力供給変圧器は加熱され、絶縁鉄芯11の表面をえるために、PVC部材は、鉄芯11と完全に結合する。
【００２２】
本発明の高性能電力供給変圧器の一次コイル13が、環状の巻線機の使用により一様に巻かれることにより形成された後、それはPVC熱収縮性套で包まれ絶縁され、形成された二次コイル15は、絶縁膜14に対照的に巻きつけられる。一般的な直線的電力源は、ミラー（商品名）のプラスチックテープで絶縁される。
【００２３】
本発明の高性能電力供給変圧器の磁化電流は、定格入力電圧で直線的電力源の負荷なしの場合、ゼロである;
一方、定格入力電圧で一般的な直線的電力源の負荷なしの場合、磁化電流は、ゼロより大きい。また、さらに、本発明で提供される直線的電力源は、24時間125%の入力電圧で完全負荷状態で作動させた後にもなお正常に働くことができる;
一方、一般的な直線的電力源では、24時間125%の入力電圧で完全負荷状態で作動させた後には、正常に働くことができない。
【００２４】
定格入力電圧および定格出力パワー(図４)での本発明の高性能電力供給変圧器の効率は、70%より大きい(一般的な直線的電力源の効率は、60%未満である)。
125%の入力電圧で完全負荷状態で作動させた後の、本発明の高性能電力供給変圧器の表面温度は、４０℃以上には上昇しない（一般的な直線的電力源では、75℃以上に温度上昇する）。
【００２５】
本発明の高性能電力供給変圧器の全重量は、300gを超過しない(例えば、15Wでは、一般的な直線的電力源は500gより大きい)。
【００２６】
また、図５に示されるように、本発明の環状の変圧器10は電気回路ボード30の中に直接設置する変圧器として使用することができ、蛍光灯の整流器として使用することができる。そのために、本発明は電力供給変圧器の適用範囲を制限されていない。
本発明は、修正、および追加された請求項の範囲内にある変化をすべて含んでいることとして解釈される。
【図面の簡単な説明】
【００２７】
【図１】本発明の好ましい実施例の外観を示す透視図である;
【図２】本発明の解剖の透視図である;
【図３Ａ】本発明の生産のプロセスを示す遠近法の概要図である;
【図３Ｂ】本発明の生産のプロセスを示す遠近法の概要図である;
【図３Ｃ】本発明の生産のプロセスを示す遠近法の概要図である;
【図３Ｄ】本発明の生産のプロセスを示す遠近法の概要図である;
【図３Ｅ】本発明の生産のプロセスを示す遠近法の概要図である;
【図４】本発明の電気的な特徴の明細書を示す図表である;
【図５】電気回路ボードに直接設置する本発明の環状の変圧器の適用を示す遠近法の概要図である。
【符号の説明】
【００２８】
10:変圧器
11:鉄芯
12:一次絶縁被膜
13:コイル
13:一次コイル
13:一次銅線
13:一次コイル
131:入力用電線
14:二次絶縁被膜
15:コイル
15:二次コイル
15:二次銅線
151:出力用電線
16:三次絶縁被膜
20:ハウジング
21:上部カバー
22:下部カバー
221:プラグ
23:電力源ライン
23:送電線
30:電気回路ボード
【図１】
0003127741.tif 000003
【図２】
0003127741.tif 000004
【図３Ａ】
0003127741.tif 000005
【図３Ｂ】
0003127741.tif 000006
【図３Ｃ】
0003127741.tif 000007
【図３Ｄ】
0003127741.tif 000008
【図３Ｅ】
0003127741.tif 000009
【図４】
0003127741.tif 000010
【図５】
0003127741.tif 000011
【手続補正書】
【提出日】平成18年10月6日(2006.10.6)
【手続補正１】
【補正対象書類名】実用新案登録請求の範囲
【補正対象項目名】請求項１
【補正方法】変更
【補正の内容】
【請求項１】
下記を含む高性能変圧器:  
連続的な巻き込みによってケイ素鋼板から作られる閉鎖環状部材であって、次に、その指
向性を維持するために、焼結され、固定されることで、完成している、鉄芯;
当該鉄芯上に熱収縮性套での一次絶縁処理の後に形成される一次絶縁被膜;
前記一次絶縁被膜上に環状形にワイヤーを巻き込むることにより形成され、その後熱収縮
性套での二次絶縁処理によって形成された二次絶縁被膜によって包まれることで形成され
る一次コイル;そして
前記二次絶縁被膜上で環状形にワイヤーを巻き込むることにより形成され、その後熱収縮
性套での三次絶縁処理によって形成された三次絶縁被膜によって包まれることにより形成
されている二次コイル;
外へ伸びた前記二次コイルの1対の末端出力用電線と同様に前記一次コイルの1対の末端入
力用電線をもつ、前記三次絶縁被膜;
それらによって、本高性能変圧器は環状に形成されている、前記一次コイル入力電力供給の前記入力用電線および前記二次コイルの出力電圧-変更電力供給の前記出力用電線。